(57)【要約】無線通信システムは、プライマリの局（１００）からセカンダリの局（１１０）へのデータパケットの送信のための通信チャネルを有する。データパケットの受信に応じて、セカンダリの局は、プライマリの局に、受信データパケットの状態を示す承認信号を送信する。信号は、少なくとも２つの信号形式（例えば肯定的承認と否定的承認、ACKとNACK）のセットから選択され、それが送信される出力は、信号の形式に依存する。１つの実施例において、NACKはACKより高い出力で送信され、それによってプライマリの局がNACKをACKとして誤って解釈する機会を現象させる。他の実施例において、以前のパケットの再送信を要求するREVERT信号が使用される。REVERT信号は、NACK信号と同一である場合があるが、更に高い出力で送信される。
2005506753.tif 000002
【特許請求の範囲】
【請求項１】
プライマリの局からセカンダリの局へのデータパケットの送信のための通信チャネルを有する無線通信システムであって、
前記セカンダリの局は、データパケットを受信する受信手段と、前記プライマリの局に受信データパケットの状態を示す信号を送信する承認手段とを有し、
前記信号は、少なくとも２つの利用可能な信号形式のセットから選択され、
前記承認手段は、前記信号がその形式に応じて送信される出力レベルを選択するように構成される無線通信システム。
【請求項２】
請求項１に記載のシステムであって、
前記利用可能な信号形式が、肯定的承認と否定的承認を示す信号を有することを特徴とするシステム。
【請求項３】
請求項２に記載のシステムであって、
前記利用可能な信号形式が、前記パケットがちょうど受信される前に受信されたパケットの再送信の要求を示す逆戻り信号を、更に有することを特徴とするシステム。
【請求項４】
請求項３に記載のシステムであって、
前記逆戻り信号が、前記否定的承認と同一であるが、更に高い出力で送信されることを特徴とするシステム。
【請求項５】
プライマリの局からセカンダリの局へのデータパケットの送信のための通信チャネルを有する無線通信システムで使用されるプライマリの局であって、
データパケットを前記セカンダリの局に送信する手段と、
前記セカンダリの局から受信データパケットの状態を示す信号を受信する手段が提供され、
前記信号は、少なくとも２つの利用可能な信号形式のセットから選択され、
受信される出力レベルに応じて受信信号の形式を判断する手段が提供されるプライマリの局。
【請求項６】
プライマリの局からセカンダリの局へのデータパケットの送信のための通信チャネルを有する無線通信システムで使用されるプライマリの局であって、
データパケットを前記セカンダリの局に送信する手段と、
前記セカンダリの局から受信データパケットの状態を示す信号を受信する手段が提供され、
前記信号は、少なくとも２つの利用可能な信号形式のセットから選択され、
前記セカンダリの局が前記信号を送信する出力レベルがどのように前記信号の形式に応じるかの指示を、前記セカンダリの局に合図する手段が提供されるプライマリの局。
【請求項７】
請求項６に記載のプライマリの局であって、
受信される出力レベルに応じて前記受信信号の形式を判断する手段が提供されるプライマリの局。
【請求項８】
請求項６又は７に記載のプライマリの局であって、
前記指示が、少なくとも２つの形式の信号を異なる出力で送信する、前記セカンダリの局に対する命令を有することを特徴とするプライマリの局。
【請求項９】
請求項６又は７に記載のプライマリの局であって、
前記指示が、少なくとも１つの前記利用可能な信号形式に使用する送信出力を、前記セカンダリの局に知らせることを特徴とするプライマリの局。
【請求項１０】
請求項６、７又は９に記載のプライマリの局であって、
前記指示が、２つの異なる信号の形式の間の必要な出力違いを、前記セカンダリの局に知らせることを特徴とするプライマリの局。
【請求項１１】
プライマリの局からセカンダリの局へのデータパケットの送信のための無線チャネルを有する無線通信システムで使用されるセカンダリの局であって、
データパケットを前記プライマリの局から受信する受信手段が提供され、
前記プライマリの局に受信データパケットの状態を示す信号を送信する承認手段が提供され、
前記信号は、少なくとも２つの利用可能な信号形式のセットから選択され、
前記承認手段は、前記信号がその形式に応じて送信される出力レベルを選択するように構成されるセカンダリの局。
【請求項１２】
請求項１１に記載のセカンダリの局であって、
前記信号形式が、肯定的承認と否定的承認を示す信号を有し、
前記承認手段が、肯定的承認より高い出力で否定的承認を送信することを特徴とするセカンダリの局。
【請求項１３】
請求項１２に記載のセカンダリの局であって、
送信される異なる信号形式の時間平均された割合を参照して、承認の間の前記出力の違いを判断する手段が提供されることを特徴とするセカンダリの局。
【請求項１４】
請求項１３に記載のセカンダリの局であって、
否定的承認に対する肯定的承認の時間平均された割合が所定の値より大きい場合に、前記承認手段が肯定的承認より高い出力で否定的承認のみを送信することを特徴とするセカンダリの局。
【請求項１５】
請求項１１又は１２に記載のセカンダリの局であって、
前記利用可能な信号が、前記受信データパケットの状態以外に、広く行き渡る無線状態に関する情報を伝える信号を有することを特徴とするセカンダリの局
【請求項１６】
プライマリの局からセカンダリの局へのデータパケットの送信のための通信チャネルを有する無線通信システムを動作する方法であって、
前記セカンダリの局がデータパケットを受信し、前記プライマリの局に受信データパケットの状態を示す商人信号を送信することを有し、
前記信号は、少なくとも２つの利用可能な信号形式のセットから選択され、
前記信号がその形式に応じて送信される出力レベルを選択することを有する方法。
【発明の詳細な説明】
【技術分野】
【０００１】
本発明は無線通信システムに関するものであり、更に、前記のシステムを用いるプライマリとセカンダリの局に関するものであり、前記のシステムを動作する方法に関するものである。この明細書は、特にユニバーサル移動体通信システム（UMTS）に関して説明されるが、前記の技術は同様に他の移動体無線システムにおける使用に適用可能であることがわかる。
【背景技術】
【０００２】
無線通信分野において、大きいブロックのデータを要求時に適当な速度で移動局（MS）にダウンロードする機能を有するシステムについて高まる需要が存在する。前記のデータは、例えば場合によるとビデオクリップ又はそれと同様のものを含む、インターネットからのウェブページである可能性がある。一般的に特定のMSは前記のデータを断続的にのみ必要とするため、固定帯域の専用のリンクは適切でない。UMTSにおいてこの要求を満たすため、高速ダウンリンク・パケットアクセス（HSDPA）の仕組みが開発され、移動局へのパケットデータの送信を4Mbpsまで促進し得る。
【０００３】
誤って受信されたデータパケットを処理するパケットデータ送信システムの従来の構成要素は、ARQ（自動再送要求）である。例えば、基地局（BS）から移動局（MS）へのHSDPAにおけるダウンリンクのパケット送信を検討する。MSがデータパケットを受信すると、例えば巡回冗長検査（CRD）情報を用いて、パケットが誤ったものであるかどうかを判断する。その後、それは、パケットが成功して受信されたことを示す肯定応答（ACK）として用いられる第１の電信用暗語と、パケットが受信されたが誤っていることを示す否定応答（NACK）として用いられる第２の電信用暗語とで、BSに電信用暗語を送信する。パケット送信は、一般的に断続的であるため、不連続送信（DTX）が通常使用され、それ故にデータパケットが受信されなければMSによって何も送信されない。
【０００４】
前記のARQの仕組みでの問題は、ACKとNACKのエラーの影響が有意に異なることである。NACKが受信されると、通常、BSはパケットを再送信する。ACKが送信されたときにBSがNACKを受信すると、パケットはともかく再送信され、それは少しのシステム資源を浪費するのみである。NACKが送信されたが、ACKとして受信されると、再送信は行われない。特別の物理レイヤの機構がなければ、この状態は、更に高いレイヤの処理を用いることによってのみ回復可能であり、それは遅延を追加し、システム資源の有意な浪費になる。従って、NACKにおけるエラーの損害は、ACKにおけるエラーの損害より更に重大である。
【０００５】
システムの性能を最適化するため、ACKとNACKをデコードする際に、エラーの相対的な確率を制御することが望ましい。あるUMTSの実施例において、このことは、BSで異なる検出の閾値を設定することによって行われ、特定の出力レベル（例えばアップリンクのパイロット出力）でACK/NACKの電信用暗語を送信することをMSに要求する。従って、前記出力レベルと検出の閾値は、ACK/NACKのエラーの損害と、MSによって生成される干渉と、MSによって使用される電源出力とを均衡させるように選択され得る。DTXの場合、状況は少し複雑になる。しかし、パケットの供給元としてのBSは、いつACK/NACKがMSによって送信されるかを認識しており、それ故に、DTXの状態を特に検出する必要性は通常ない。
【０００６】
同時係属の未公開のドイツ特許出願10132577.0（出願人参照番号PHDE  010206）において、BSがNACKをACKとして誤解した場合から回復するための物理レイヤの機構が開示される。前記の機構は追加の電信用暗語REVERTを利用し、それは、MSが以前のパケットの再送信を期待している時に新しいパケットの送信を受信したことを、BSに知らせる。この仕組みの変更として、２つのREVERTの電信用暗語が用いられ、新しいパケットに関してNACK又はACKに加えて提供する。
【発明の開示】
【課題を解決するための手段】
【０００７】
本発明の目的は、パケットデータ送信システムの効率を改善することである。
【０００８】
本発明の第１の形態によると、プライマリの局からセカンダリの局へのデータパケットの送信のための通信チャネルを有する無線通信システムが提供され、前記セカンダリの局は、データパケットを受信する受信手段と、前記プライマリの局に受信データパケットの状態を示す信号を送信する承認手段とを有し、前記信号は、少なくとも２つの利用可能な信号形式のセットから選択され、前記承認手段は、前記信号がその形式に応じて送信される出力レベルを選択するように構成される。
【０００９】
異なる承認信号を異なる出力レベルで送信することによって、プライマリの局が異なる形式の信号を正確に解釈する確率が操作され、全体のシステムのスループットと能力を改善し得る。１つの実施例において、否定応答が肯定応答より高い出力レベルで送信され、プライマリの局がデータパケットを必要に応じて再送信する確率を増加させる。他の実施例において、追加の回復信号形式が提供され、現在のデータパケットの前に最初に送信され、正確に受信されていないデータパケットを再送信することを、プライマリの局に要求する。回復信号は、否定応答信号と同一である場合があるが、更に高い出力レベルで送信され得る。
【００１０】
本発明の第２の形態によると、プライマリの局からセカンダリの局へのデータパケットの送信のための通信チャネルを有する無線通信システムで使用されるプライマリの局が提供され、データパケットをセカンダリの局に送信する手段と、セカンダリの局から受信データパケットの状態を示す信号を受信する手段とが提供され、前記信号は、少なくとも２つの利用可能な信号形式のセットから選択され、受信される出力レベルに応じて、受信信号の形式を判断する手段が提供される。
【００１１】
本発明の第３の形態によると、プライマリの局からセカンダリの局へのデータパケットの送信のための通信チャネルを有する無線通信システムで使用されるプライマリの局が提供され、データパケットをセカンダリの局に送信する手段と、セカンダリの局から受信データパケットの状態を示す信号を受信する手段とが提供され、前記信号は、少なくとも２つの利用可能な信号形式のセットから選択され、セカンダリの局が信号を送信する出力レベルがどのように前記信号の形式に応じるかの指示を、セカンダリの局に合図する手段が提供される。
【００１２】
本発明の第４の形態によると、プライマリの局からセカンダリの局へのデータパケットの送信のための通信チャネルを有する無線通信システムで使用されるセカンダリの局が提供され、データパケットをプライマリの局から受信する受信手段が提供され、プライマリの局に受信データパケットの状態を示す信号を送信する承認手段が提供され、前記信号は、少なくとも２つの利用可能な信号形式のセットから選択され、前記承認手段は、前記信号がその形式に応じて送信される出力レベルを選択するように構成される。
【００１３】
本発明の第５の形態によると、プライマリの局からセカンダリの局へのデータパケットの送信のための通信チャネルを有する無線通信システムを動作する方法が提供され、前記方法は、前記セカンダリの局がデータパケットを受信し、プライマリの局に受信データパケットの状態を示す承認信号を送信することを有し、前記信号は、少なくとも２つの利用可能な信号形式のセットから選択され、前記方法は、前記信号がその形式に応じて送信される出力レベルを選択することを有する。
【発明を実施するための最良の形態】
【００１４】
本発明の実施例が、添付の図面を参照して一例として説明される。図面において、同じ参照番号が対応する機能を示すために用いられる。
【００１５】
図１を参照すると、無線通信システムは、プライマリの局（BS）１００と複数のセカンダリの局（MS）１１０を有する。BS１００は、マイクロコントローラ（μC）１０２と、アンテナ手段１０６に接続されたトランシーバ手段（Tx/Rx）１０４と、送信される出力レベルを変更する出力制御手段（PC）１０７と、PSTN又は他の適切なネットワークに接続するための接続手段１０８とを有する。各MS１１０は、マイクロコントローラ（μC）１１２と、アンテナ手段１１６に接続されるトランシーバ手段（Tx/Rx）１１４と、送信される出力レベルを変更する出力制御手段（PC）１１８とを有する。BS１００からMS１１０への通信は、ダウンリンクチャネル１２２で行われ、MS１１０からBS１００への通信は、アップリンクチャネル１２４で行われる。
【００１６】
既知のストップ・アンド・ウェイトARQ（stop-and-wait  ARQ）の仕組みの動作が図２に示される。Pn（nは連続番号である）として示されるデータパケット２０２が、ダウンリンチャネル（DL）１２２でBS１００からMS１１０に送信される。連続番号0を備えた最初のデータパケットP0が、MS１１０によって誤った状態で受信され、それ故に否定応答（N）２０４を送信する。これに応じて、BS１００が最初のデータパケット２０２を再送信し、今度はMS１００によって正確に受信され、肯定応答（A）２０６を送信する。BSは次のパケットを連続番号１で送信する。BS１００が所定のタイムアウト期間内に否定応答を受信しない場合（MS１１０がパケットを全く受信しない、又は肯定応答が損失された場合）に、BS１００はまた、データパケット２０２を再送信する。MS１１０は、実際に以前送信されたパケット２０２を受信すると、受信パケット２０２が以前のパケットと同じ連続番号を有しているので、再送信であることを判断し得る。
【００１７】
マルチチャネルのARQの仕組みを用いることによって、改善されたスループットが得られ得る。既知の方法で動作する4チャネルのARQの仕組みの例が図３に示される。Pn（nは連続番号である）として示されるデータパケット２０２が、ダウンリンクチャネル（DL）１２２でBS１００からMS１１０に送信される。各パケット２０２は、最初のパケットから始まり、順に論理チャネル（CH）に割り当てられる。従って、パケットP1はチャネル１に割り当てられ、パケットP2はチャネル２に割り当てられ、以下同様である。ARQはチャネル毎に別に実行される。
【００１８】
図示されたシナリオにおいて、第１のデータパケットP1が第１の論理チャネルを介して送信され、MS１１０によって正確に受信され、それがアップリンクチャネル１２４で肯定応答（A1）を送信する。従って、チャネル１は次に送信のために予定され、送信を待つ次のパケットP5が選択され、MS１１０に送信される。同様に、第２のデータパケットP2が第２の論理チャネルを介して送信される。しかし、このパケットがMS１１０によって正確に受信されず、それが否定応答（N2）２０４を発出する。従って、チャネル２が次に送信のために予定されると、パケットP2が再度送信される。今度はそれが正確に受信され、肯定応答２０６がアップリンクチャネル１２４で発出され、それによってチャネル２を開放し、更なるパケット２０２を送信する。
【００１９】
簡単には前述の通り、BS１００によって受信されるエラーの承認応答２０４、２０６の結果は異なる。ACK２０６がNACK２０４として受信されると、それぞれのパケット２０２は再送信されるが、MSはこの状態を連続番号によって認識し得る。しかし、NACK２０４がACK２０６として受信されると、BS１００は次のパケット２０２の送信を続ける。MS１１０は、受信パケット２０２の連続番号からこのことが生じたことを判断し得る。しかし、それは、更に高いレイヤの手順を呼び出すことなく、エラーで受信されたパケット２０２を再送信することをBS１００に要求することができず、それによって有意な資源を浪費する。
【００２０】
一般的にパケットデータ送信の断続的な性質を考えると、多くのアプリケーションにおいて、DTXがほとんどの場合に適用されると思われる。更に、うまく構成されたシステムにおいて、NACK２０４はACK２０６より有意に頻繁に送信されない。従って、本発明に従って作られたシステムにおいて、NACK２０４はACK２０６より更に高い出力レベルで送信される。前記出力の補正は、ACK２０６で送信される出力を増加させることなく、NACK２０４のエラーの確率を減少させるため、有利である。MS１１０がパケットを損失する確率が非常に小さい場合に、DTXからNACKを区別するBSの検出の閾値の最適な設定を考える必要がないため、特に有利である。従って、何らかの所定のエラーの性能目標がMS１１０によって送信される最小の平均出力で達成され得る。
【００２１】
MS１１０がACK２０６よりNACK２０４を多く送信している場合には、前記の提案された方法は、望ましい減少ではなく、平均のアップリンクの干渉を増加することになる。従って、本発明の１つの実施例において、MS１１０は、特定のパケットの割合（例えば５０％）より多く、以前に肯定的に承認されていない場合には、出力の補正を適用することを禁じられる。このことは、出力の補正が悪いダウンリンクのチャネル状態におけるアップリンクの干渉の過度の増加を招くことを回避する。
【００２２】
本発明の他の実施例において、ACK２０６とNACK２０４の相対的な出力レベルは、送信されたACK２０６とNACK２０４の割合に応じて修正される。例えば、この適応は、送信されたACK２０６の割合の時間加重平均によって制御され得る。BS１００での検出の閾値は、受信されたACK２０６の割合に応じて同様の方法で適応され得る。前記の処理は、エラーが存在する場合でも集中することが明白である。
【００２３】
本発明の他の実施例において、ACK/NACKの出力の補正（又は最大の補正）が、事前に定める代わりに、データパケット２０２を介してMS１１０に伝達されるサービスの形式に応じて、BS１１０によって合図され得る。例えば、厳密な時間的制約を備えたリアルタイムのストリーミングサービスにおいて、誤って検出されたNACK２０４のために損失されたパケットは、物理レイヤの再送信の十分な時間がない場合に、アプリケーションによって単に無視され得る。しかし、パケットの正確な受信が不可欠なデータサービスにおいて、ACK/NACKの出力の補正が合図され得る。更に高いレイヤの再送信に十分な時間がないが、NACKの出力の補正が速い物理レイヤの再送信の手段によって修正されるべき誤ったパケットの可能性を増加させる、やや少ない時間的要件を備えたストリーミングサービスにおいて、補正はまた有利である場合がある。従って、ダウンリンクの転送チャネル毎に異なる補正値が合図されることを可能にすることが有利である。
【００２４】
この方法は、同じ転送チャネルの異なるパケットについて、ACK/NACKに異なる補正値を割り当てることによって更に発展され得る。例えば、MPEGのストリームにおいて、その後のフレームのエラーを回避するために、Ｉフレームを正確に受信することが非常に重要である。従って、ACK/NACKの出力の補正は、Ｉフレームのデータを有するパケットの承認に適用され得る一方で、更に小さい（又はゼロの）補正が、他のパケットの承認に適用される。どのパケットがＩフレームのデータを含むかを示すために、物理レイヤのタグや、パケット２０２の特定の連続番号のような、いくつかの特別の信号が要求され得る。
【００２５】
この方法の更なる発展において、同時係属の未公開の国際特許出願IB02/00330（出願人参照番号PHGB  010069）に開示されるとおり、チャネル品質のような他の情報が、ACK/NACKのメッセージに確保されるデータ領域における異なる電信用暗語の使用によって合図され得る。概して、異なる情報の可能性を検出する場合に、エラーの異なるコストが存在すると思われる。従って、電信用暗語の異なるサブセットの送信に適用される異なる出力レベルが存在し得る。更に、この方法は電信用暗語の間隔の設計と組み合わされ、指定の性能目標に到達し得る。一例として、NACKが0000である場合、ACKは1110である場合があり、高度のチャネル品質の表示とともにACKを送信することは、1111である場合がある。
【００２６】
１つの好ましい実施例において、特にUMTSのHSDPAに適しているが、MS１１０によって用いられるACK/NACKの出力の補正とACKの出力レベルは、ネットワークからの更に高いレイヤの信号によって判断される。その他、補正は、“補正なし”（すなわちACK２０６とNACK２０４について同じ送信出力）又は出力の補正の所定の値の使用を示す“補正の使用”を示す、単一の情報ビットを用いて合図され得る。更なる信号のビットが、更に広範囲の補正値を示すために使用され得る。
【００２７】
（MS１１０によって用いられる出力レベルを認識している）BS１００は、システムの性能を最適化するように調整された検出の閾値を用いる（しかし、受信されるアップリンクのパイロット情報に基づいて“あいまいな”閾値が設定され得るため、BS１００は、必ずしもMS１１０によって使用される出力レベルを認識する必要がない）。最適化された閾値は、無線ネットワーク制御装置（RNC）又は他の手段によって送信され得る。
【００２８】
MS１１０が物理レイヤの機構を用いて回復できない、NACK２０４として送信された承認をACK２０６として受信するBS１００の問題が前述された。同時係属の未公開のドイツ特許出願10132577.0（出願人参照番号PHDE  010206）は、追加のコマンドREVERTの使用により、この状態から回復する物理レイヤの機構を開示し、それは、MS１１０が以前のパケットの再送信を期待しているときに新しいパケットの再送信を受信したことを、BS１００に知らせる。REVERTコマンドは、例えば（ちょうど受信されたパケット２０２の状態の情報を提供しない）１つの電信用暗語又は（ちょうど受信されたパケット２０２に関して一方はNACKを更に提供し、他方はACKを提供する）２つの情報用暗語として実施され得る。前述の通り、追加の信号のパラメータを含めることもまた可能である。
【００２９】
そのような実施例において、“逆戻りしない”として誤ってデコードされるREVERTコマンドの影響は、NACK又はACKが誤ってREVERTコマンドとしてデコードされる影響より深刻である。従って、システムの他のユーザに対するアップリンクの干渉を有意に増加させることなく、REVERTコマンドでエラー率を減少させることが望ましい。従って、本発明に従って作られたシステムにおいて、REVERTコマンドが誤ってデコードされる確率を減少させるために、REVERTコマンドはACK又はNACKより高い出力で送信される。
【００３０】
前記の実施例の様々な変形が考えられる。第１の変形において、（DTX、すなわちMS１１０によって何も送信されない、とともに）コード化される３つのコマンドが存在する。前記コマンドは、以下の通りである。
【００３１】
【表１】
2005506753.tif 000003
NACKとREVERTコマンドの場合、繰り返されるパケットは、パケットのスロットのタイミングとシステムの往復の遅延によって定められる。MS１１０において、連続番号の変化は、新しいデータと、MSがデータバッファを空にすることを示す。何らかの追加の冗長度（チェイス合成法を含む）を仮定すると、バッファのパケットが未だに正確にデコードされていない場合に、REVERTを引き起こす。
【００３２】
ストップ・アンド・ウェイトARQ（stop-and-wait  ARQ）の仕組みの１つの既知の実施例において、ACKとNACKのコマンドは、それぞれ全て1と全て0の電信用暗語として送信される。前記の仕組みにおいて、REVERTコマンドは、NACKコマンドと同じ電信用暗語によって示されるが、更に高い出力（例えば6dB高い）で送信される。UMTSのアップリンクにおいて、検出のための出力の基準は制御チャネルのパイロットビットである。REVERTを高い出力のACKとして送信することもまた可能であるが、このことはREVERTとACKを混同する確率を増加させ、より望ましくない。
【００３３】
本発明の実施例において、ACK/NACK/REVERTの電信用暗語の出力レベルは、更に高いレイヤの信号によってMS１１０に送信され得る。いくつかの可能性は以下の通りである。
・REVERTの出力レベルがACK/NACKの出力によって示され得る（すなわち固定の補正）。
・REVERTの出力レベルが明示的に合図され得る。
・ACKとNACKとREVERTの出力レベルが独立のパラメータとして合図され得る。
【００３４】
いくつかの可能性のあるエラーのイベントと、その結果と、結果として生じるシステムの能力への影響が以下の表に検討され、それは、（REVERTコマンドに導くエラー以外の）エラーが以前にないことを仮定する。ACKを送信するとともに、連続番号が変化すると、MS１１０がバッファをクリアすることが仮定される。
【００３５】
【表２】
2005506753.tif 000004
表に特定された影響に加えて、最初の送信がMS１１０によって検出されない場合に、いくつかの追加の冗長の仕組みに問題が存在する場合がある。
【００３６】
選択された出力レベルが、信号毎に望ましいエラーの確率を達成するように調整され得る。２つの可能性のある実施例を検討する。第１に、ACKとNACKコマンドが同じ出力レベルで送信される一方で、REVERTがNACKと同じ電信用暗語で送信されるが、6dBの追加の出力で送信される。以下の確率が典型的である。
【００３７】
【表３】
2005506753.tif 000005
１％のパケットが失われ、８０％が正確に受信されることを仮定する。従って、パケットがBS１００によって送信されると、DTXを送信するMS１１０の確率は0.01であり、ACKの確率は0.8であり、NACKの確率は約0.19である。REVERTの確率は、約0.19×0.0001=2e-5である。従って、誤って受信されるREVERTの確率は、0.00002×0.01=2e-7である。
【００３８】
第２の実施例において、DTXとNACKは同じ（ゼロの）出力で送信される一方で、REVERTがACKと異なる電信用暗語で送信されるが、同じ出力で送信される。以下の確率が典型的である。
【００３９】
【表４】
2005506753.tif 000006
前と同じ仮定で、NACK/DTXの確率は0.2であり、ACKの確率は0,8である。従って、REVERTの確率は約0.2×0.01=0.002であり、誤って受信されるREVERTの確率は、約0.002×0.01=2e-5である。
【００４０】
これらの結果は、この特定のシナリオにおいて、NACKと同じ電信用暗語を用いるが、更に高い出力でREVERTを送信することが、最善の選択肢であることを意味する。それはまた、誤って解釈されたNACKが、誤って解釈されたDTXから区別されることを可能にする。
【００４１】
第２の変形において、REVERTコマンドは、ACK/NACKの領域の単一の電信用暗語にACK/NACKコマンドとともにコード化される。簡単な二重の直交のコードは以下の通りである。
【００４２】
【表５】
2005506753.tif 000007
ここで、ACK又はNACKはちょうど受信したパケット２０２に関するものである。REVERTコマンドを有する２つの電信用暗語（すなわち0101010101又は1010101010）は、他の２つの電信用暗語より高い出力で送信される。
【００４３】
第３の変形において、他の二重の直交のコードが用いられ、AC/NACK/REVERTの領域を２つの部分に分けたものとして見られ得る。
【００４４】
【表６】
2005506753.tif 000008
ここで、領域の半分（この例では最初）がACK/NACKの信号に用いられ、他の半分が逆戻り／逆戻りなしの信号に用いられる。この場合、領域の最初の半分で送信出力を増加させる必要がなく；コマンドがREVERTの場合に領域の２番目の半分で送信出力が増加し得る。しかし、UMTSの実施例において、MS１１０がタイムスロットについて１回より多く送信出力を変化する機能を有さない場合があるため、領域を通じて出力を一定に保つことがおそらく望ましい。
【００４５】
BS１００がコマンドを期待していたときにDTX（すなわち、応答なし）を検出した場合に、それは、一般的にREVERTを備えないNACKとして解釈する。このことは、コマンドがREVERTである場合に更に高い送信出力を用いる必要性を増加させる。
【００４６】
他の実施例において、REVERT/DON’T  REVERTコマンドは、ACK/NACKに用いられるものと別のビットとして送信され得る。このことは、同じチャネルの別の領域にあり、又は異なるチャネルコード、周波数又はタイムスロットによって定められた別のチャネルにある可能性がある。
【００４７】
この場合、REVERTの必要がないときにREVERTの領域で何も送信される可能性があるか、又はパケット毎に二極性の信号が送信される可能性があるかのいずれかである。REVERTの領域における送信がないことが、逆戻りの必要性がないことを示す場合に、同じエラー率を与えるために、REVERTコマンドがACK/NACKの領域の４倍の出力で送信されなければならない。従って、本発明に従って作られたシステムにおいて、REVERTコマンドは、減少したエラー率を与えるために、ACK/NACKの領域の出力の４倍より大きい出力で送信される。
【００４８】
パケット毎にREVERT又はDON’T  REVERTを示す二極性の信号が送信された場合に、本発明によると、REVERTコマンドはDON’T  REVERTコマンドより高い出力で送信される。しかし、明白なDON’T  REVERTコマンドよりむしろDTXが用いられ、コマンドがREVERTに頻繁にならない可能性が高く、ほとんど全てのパケットでDON’T  REVERTを送信することは有意にアップリンクの干渉を増加させる。
【００４９】
概して、ACK/NACK及び／又はREVERTコマンドが送信される出力レベルは、必要なレベルの信頼性を達成するために調整され得る。前記出力レベルは、BS１００からMS１１０に送信されるメッセージによって制御され得る。それは、アップリンクの専用制御チャネルのパイロットビットに関して、又はチャネル品質基準の現在の出力レベルに関して、出力レベルを指定し得る。１つより多いBS１００とソフト・ハンドオーバー（soft  handover）する１つのMS１１０の専用制御チャネルの場合、アップリンクの専用制御チャネルの出力は、含まれる全てのBS１００に最適でない可能性がある。従って、異なる出力レベル、好ましくは更に高い出力レベルが、ACK/NACK及び／又はREVERTコマンドを送信するために使用され得る。この出力の違いは、固定され、又はBS１００からのメッセージによって定められ得る。ACK/NACK及び／又はREVERTの送信が特定のBS１００に向けられている場合、その送信の無線チャネルの品質を考慮に入れて出力レベルが更に変更され得る。例えば、動作中のセットからの最善の無線リンクが使用されている場合、出力レベルはそうでない場合より低い場合がある。
【００５０】
本発明は、移動式無線システム（特にUMTS）と、コードレスシステムと、WLAN（無線ローカルエリアネットワーク）システムに適用され得る。特にHSDPAの概念に適するが、それに限定されない。
【００５１】
前述の説明は、UMTSのFDD（周波数二重分割）モードを対象とする。本発明はまた、TDD（時二重分割）モードにも適用され得る。この場合、アップリンクとダウンリンクのチャネルが同じ周波数で異なるタイムスロットを使用するという事実が、チャネル情報の信号の必要性を減少させる。
【００５２】
前述の説明は、本発明に関する多様な役割を実行するBS１００に関するものである。実際に、前記のタスクは、固定インフラの多様な部分の責任である場合があり、例えばMS１００との直接のインタフェースになる固定インフラの部分である“ノードB”、又は無線ネットワーク制御装置（RNC）の更に高いレベルである場合がある。従って、この明細書において、“基地局”又は“プライマリの局”は、本発明の実施例に含まれるネットワークの固定インフラの部分を含むことがわかる。
【００５３】
この開示を読むことから、他の変更がその技術に熟練した人に明らかになる。そのような変更は、無線通信システム及びその構成部分の設計と製造と使用で既に知られている他の機能を含む場合があり、ここで既に説明された機能の代わりに、又はそれに加えて使用され得る。
【００５４】
この明細書と請求の範囲において、要素に先行する“１つの”という言葉は、複数の前記要素の存在を排除しない。更に“有する”という言葉は、リストに記載されたものより他の要素又はステップの存在を排除しない。
【図面の簡単な説明】
【００５５】
【図１】無線通信システムの説明のブロック図である。
【図２】既知のストップ・アンド・ウェイトARQ（stop-and-wait  ARQ）の仕組みの動作を示した図である。
【図３】既知のnチャネルのARQの仕組みの動作を示した図である。
【国際公開パンフレット】
2005506753.tif 000009
2005506753.tif 000010
2005506753.tif 000011
2005506753.tif 000012
2005506753.tif 000013
2005506753.tif 000014
2005506753.tif 000015
2005506753.tif 000016
2005506753.tif 000017
2005506753.tif 000018
2005506753.tif 000019
2005506753.tif 000020
2005506753.tif 000021
2005506753.tif 000022
2005506753.tif 000023
2005506753.tif 000024
2005506753.tif 000025
2005506753.tif 000026
2005506753.tif 000027
2005506753.tif 000028
2005506753.tif 000029
2005506753.tif 000030
【国際公開パンフレット（コレクトバージョン）】
2005506753.tif 000031
2005506753.tif 000032
【国際調査報告】
2005506753.tif 000033
2005506753.tif 000034
2005506753.tif 000035
2005506753.tif 000036
2005506753.tif 000037